Podtech/llm-jp-corpus-v4-ja_patent huggingface dataset:
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
ねじり振動ダンパーであって、
第１の部材であって、凸状セクション間に軸方向に中央凹状セクションを備えた半径方向外面を有する第１の部材と、
凹状セクション間で軸方向に中央凸状セクションを備えると共に前記半径方向外面と向き合う半径方向内面を有する第２の部材であって、前記半径方向外面および前記半径方向内面は、軸方向中心および軸方向端部を有する断面プロファイルを画定する半径方向ギャップによって離間させられ、かつ、前記半径方向ギャップは、前記軸方向中心から前記断面プロファイルの各前記軸方向端部まで、前記半径方向ギャップの長さに沿って、厚みが漸進的に連続的に増大する、第２の部材と、
前記半径方向ギャップ内に嵌め込まれたラバーインサートと、
を備える、ねじり振動ダンパー。
【請求項２】
前記第１の部材はハブであり、かつ、前記第２の部材はリングである、請求項１に記載のねじり振動ダンパー。
【請求項３】
前記第１の部材はリングであり、かつ、前記第２の部材はハブである、請求項１に記載のねじり振動ダンパー。
【請求項４】
ねじり振動ダンパーであって、
第１の部材であって、凹状セクション間に軸方向に中央凸状セクションを備えた半径方向外面を有する第１の部材と、
凸状セクション間で軸方向に中央凹状セクションを備えると共に前記半径方向外面と向き合う半径方向内面を有する第２の部材であって、前記半径方向外面および前記半径方向内面は、軸方向中心および軸方向端部を有する断面プロファイルを画定する半径方向ギャップによって離間させられ、かつ、前記半径方向ギャップは、前記軸方向中心から前記断面プロファイルの各前記軸方向端部まで、前記半径方向ギャップの長さに沿って、厚みが漸進的に連続的に増大する、第２の部材と、
前記半径方向ギャップ内に嵌め込まれたラバーインサートと、
を備える、ねじり振動ダンパー。
【請求項５】
前記第１の部材はハブであり、かつ、前記第２の部材はリングである、請求項４に記載のねじり振動ダンパー。
【請求項６】
前記第１の部材はリングであり、かつ、前記第２の部材はハブである、請求項４に記載のねじり振動ダンパー。
【請求項７】
ねじり振動ダンパーであって、
中心線と、軸線と、対向する端部間で軸方向に広がる第１の長さを有する半径方向外面と、を有する第１の部材と、
第２の中心線と、前記半径方向外面に対して対向させられた半径方向内面と、を有する第２の部材であって、前記半径方向内面は、対向する端部間で軸方向に広がる第２の長さを有する第２の部材と、
前記対向する端部間で広がるギャップ長さと、断面プロファイルを画定する前記対向させられた表面間で半径方向に広がる厚みと、を有するギャップであって、前記厚みは、前記部材の前記中心線における第１の厚みから、前記対向する端部における第２の厚みまで、前記ギャップ長さに沿って、漸進的に連続的に増大するギャップと、
前記半径方向のギャップ内に嵌め込まれたラバーインサートと、
を具備し、
前記半径方向外面および前記半径方向内面は、前記中心線の軸方向左側の少なくとも一つの凹凸対および前記中心線の軸方向右側の少なくとも一つの凹凸対を有する、交互に凹凸を繰り返す波形面である、ねじり振動ダンパー。
【請求項８】
前記半径方向外面は中央凸状セクションおよび軸方向に隣接する凹状セクションを備え、かつ、前記半径方向内面は中央凹状セクションおよび軸方向に隣接する凸状セクションを備える、請求項７に記載のねじり振動ダンパー。
【請求項９】
前記軸方向に隣接する凹状セクションは第１の半径を有し、かつ、前記軸方向に隣接する凹状セクションは第２の半径を有し、前記第２の半径は、前記第１の半径と、前記第１の厚みの一部分との合計よりも大きい、請求項８に記載のねじり振動ダンパー。
【請求項１０】
前記第１の部材はハブであり、かつ、前記第２の部材はリングである、請求項８に記載のねじり振動ダンパー。
【請求項１１】
前記第１の部材はリングであり、かつ、前記第２の部材はハブである、請求項８に記載のねじり振動ダンパー。
【請求項１２】
前記半径方向外面は中央凹状セクションおよび軸方向に隣接する凸状セクションを備え、かつ、前記半径方向内面は中央凸状セクションおよび軸方向に隣接する凹状セクションを備える、請求項７に記載のねじり振動ダンパー。
【請求項１３】
前記軸方向に隣接する凸状セクションは第１の半径を有し、かつ、前記軸方向に隣接する凹状セクションは第２の半径を有し、前記第２の半径は、前記第１の半径と、前記第１の厚みの一部分との合計よりも大きい、請求項１２に記載のねじり振動ダンパー。
【請求項１４】
前記第１の部材はハブであり、かつ、前記第２の部材はリングである、請求項１２に記載のねじり振動ダンパー。
【請求項１５】
前記第１の部材はリングであり、かつ、前記第２の部材はハブである、請求項１２に記載のねじり振動ダンパー。
【請求項１６】
前記半径方向外面および前記半径方向内面は相互に凹凸状である、請求項７に記載のねじり振動ダンパー。
【請求項１７】
前記厚みは多項式関係に従って連続的に増大する、請求項７に記載のねじり振動ダンパー。
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
複数のインフルエンザウイルスペプチドエピトープを複数コピー含む少なくとも１種類の多量体マルチエピトープポリペプチドとグアニジニウム含有アミノ酸又はその誘導体と薬学的に許容される希釈剤、賦形剤又は担体とを含む、微粒子の水性懸濁液の形態の医薬組成物であって、
前記水性懸濁液中の微粒子が、均一な凝集体サイズ分布を有し、前記凝集体の９５％のサイズが、一桁のサイズ範囲内に入る、
医薬組成物。
【請求項２】
前記懸濁液中の凝集体の９５％が、０．５〜５μｍ、０．６〜６μｍ、０．７〜７μｍ、０．８〜８μｍ、０．９〜９μｍ、１〜１０μｍ、２〜２０μｍ、３〜３０μｍ、４〜４０μｍ及び５〜５０μｍからなる群から選択されるサイズ範囲分布を有する、請求項１記載の医薬組成物。
【請求項３】
前記グアニジニウム含有アミノ酸がアルギニン（Ａｒｇ）である、請求項１記載の医薬組成物。
【請求項４】
前記グアニジニウム含有アミノ酸又は誘導体が、０．１〜２．０Ｍの濃度である、請求項１記載の医薬組成物。
【請求項５】
５．０〜７．６の範囲内でｐＨを維持する１〜５０ｍＭの濃度の緩衝剤を含む、請求項１記載の医薬組成物。
【請求項６】
１〜１０ｍｇ／ｍｌの多量体マルチエピトープインフルエンザポリペプチドと０．１〜０．５ＭのＬ−アルギニンと１０〜５０ｍＭのクエン酸緩衝液とを含み、４〜７の範囲のｐＨを有する、請求項１記載の医薬組成物。
【請求項７】
前記多量体マルチエピトープポリペプチドが、４〜９個のペプチドエピトープの３〜５個のリピートを含み、各エピトープが、ＨＡ  ３５４〜３７２（Ｅ１、配列番号８２）、ＨＡ  ９１〜１０８（Ｅ２、配列番号４８）、Ｍ１  ２〜１２（Ｅ３、配列番号２５）、ＨＡ  １５０〜１５９（Ｅ４、配列番号５２）、ＨＡ  １４３〜１４９（Ｅ５、配列番号５１）、ＮＰ  ２０６〜２２９（Ｅ６、配列番号６４）、ＨＡ  ３０７〜３１９（Ｅ７、配列番号５９又は８９）、ＮＰ  ３３５〜３５０（Ｅ８、配列番号６９）、及びＮＰ  ３８０〜３９３（Ｅ９、配列番号７０）からなる群から選択される、請求項１記載の医薬組成物。
【請求項８】
前記多量体マルチエピトープインフルエンザポリペプチドが、配列番号８６に記載のアミノ酸配列を有するＭ−００１である、請求項７記載の医薬組成物。
【請求項９】
インフルエンザに対する対象の免疫化のための、請求項１記載の医薬組成物。
【請求項１０】
以下の工程を含む、精製された組換えポリペプチドを生成するプロセス：
ｉ．カオトロピック剤と界面活性剤と還元剤と７〜１０の範囲のｐＨを提供する緩衝剤とを含む水溶液に、１．５〜５ｍｇ／ｍｌの濃度で少なくとも１種類の多量体マルチエピトープインフルエンザポリペプチドを提供する工程；
ｉｉ．前記カオトロピック剤及び還元剤の段階的除去によって、調節された凝集を誘導する工程；及び
ｉｉｉ．グアニジニウム含有化合物を添加して、凝集体の９５％のサイズが一桁のサイズの範囲内に入る、均一な凝集体サイズ分布を有する安定な微粒子懸濁液を得る工程。
【請求項１１】
前記カオトロピック剤が、５〜８Ｍの尿素及び１〜４Ｍのチオ尿素であり、前記界面活性剤が、０．５〜４％のＣＨＡＰＳ（３−［（３−コールアミドプロピル）ジメチルアンモニオ］−１−プロパンスルホネート）であり、前記緩衝剤が５〜１００ｍＭのグリシンである、請求項１０記載のプロセス。
【請求項１２】
さらに以下の工程を含む、請求項１０記載のプロセス：
ｉ．少なくとも１種類の多量体マルチエピトープインフルエンザポリペプチドを発現する大腸菌細胞を提供する工程；
ｉｉ．大腸菌細胞の溶解、細菌細胞破壊及び遠心分離を行い、多量体マルチエピトープポリペプチドを含む封入体を提供する工程；
ｉｉｉ．前記封入体の少なくとも１回の洗浄を行う工程。
【請求項１３】
以下の工程を含む、請求項１２記載のプロセス：
ｉｖ．５〜８Ｍの尿素と１〜４Ｍのチオ尿素と０．５〜４％のＣＨＡＰＳと還元剤と７〜１０の範囲のｐＨを提供する緩衝剤としての５〜１００ｍＭのグリシンとを含む溶液で前記封入体を可溶化する工程；
ｖ．グアニジニウム含有緩衝液の添加と共に前記カオトロピック剤及び還元剤の段階的除去によって、調節された凝集を誘導し、それによって、不溶性凝集体の懸濁液を形成する工程；及び
ｖｉ．緩衝液交換により前記懸濁液を製剤化して、約０．１〜０．４Ｍのグアニジニウム含有アミノ酸及び４〜８の範囲のｐＨを有する１０〜４０ｍＭのクエン酸緩衝液の最終懸濁液を得る工程。
【請求項１４】
少なくとも１つのクロマトグラフィー分離工程が、工程（ｉｖ）と（ｖ）の間で行われる、請求項１３記載のプロセス。
【請求項１５】
工程（ｉｖ）における調節された凝集の誘導が限外濾過により行われる、請求項１３記載のプロセス。
【請求項１６】
最終組成物中のポリペプチド濃度が、１〜１０ｍｇ／ｍｌである、請求項１３記載のプロセス。
【請求項１７】
前記少なくとも１種類の多量体マルチエピトープインフルエンザポリペプチドの配列が、配列番号８６に記載されるものである、請求項１３記載のプロセス。
【請求項１８】
以下の工程を含む、請求項１３記載のプロセス：
ｉ．組換え生成した多量体マルチエピトープインフルエンザポリペプチドを含む封入体を、６Ｍの尿素と２Ｍのチオ尿素と１％のＣＨＡＰＳと５０ｍＭのβ−メルカプトエタノールと約９．５のｐＨを提供する５０ｍＭのグリシンとを含む溶液で可溶化する工程；
ｉｉ．前記カオトロピック剤及び還元剤の段階的除去によって凝集を誘導することにより、不溶性凝集体の懸濁液を形成する工程；
ｉｉｉ．０．５Ｍのアルギニン緩衝液を徐々に添加することを含む、限外濾過による濃縮工程及び緩衝液交換工程に前記懸濁液を供する工程；並びに
ｉｖ．前記懸濁液を緩衝液交換に供し、約２．５ｍｇ／ｍｌの前記ポリペプチドと約０．２Ｍのアルギニンと約２０ｍＭのクエン酸緩衝液とを含み約６のｐＨを有する最終組成物を得る工程。
【請求項１９】
組換え多量体マルチエピトープポリペプチドの実質的に安定な水性懸濁液を生成するプロセスであって、以下の工程を含むプロセス：
ｉ．組換え生成した多量体マルチエピトープインフルエンザポリペプチドを含む封入体を、６Ｍの尿素と２Ｍのチオ尿素と１％のＣＨＡＰＳと５０ｍＭのβ−メルカプトエタノールと約９．５のｐＨを提供する５０ｍＭのグリシンとを含む溶液で可溶化する工程；
ｉｉ．尿素、チオ尿素及びβ−メルカプトエタノールの段階的除去によって凝集を誘導することにより、不溶性凝集体の懸濁液を形成する工程；
ｉｉｉ．０．１〜１Ｍのアルギニン緩衝液を徐々に添加することを含む、限外濾過による濃縮工程及び緩衝液交換工程に前記懸濁液を供する工程；並びに
ｉｖ．前記懸濁液を緩衝液交換に供し、約１〜５ｍｇ／ｍｌの前記ポリペプチドと約０．１〜０．５Ｍのアルギニンと約１０〜５０ｍＭのクエン酸緩衝液とを含み４〜７の範囲のｐＨを有する最終懸濁液を得る工程。
【請求項２０】
請求項１０〜１９のいずれか一項に記載のプロセスによって生成される医薬組成物。
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
４−［（Ｓ）−２−アゼチジン−１−イル−１−（４−クロロ−３−トリフルオロメチル−フェニル）−エチルアミノ］−キナゾリン−８−カルボン酸アミド、またはその生理学的に許容し得る塩、およびＨｅｒ２のインヒビター、またはその生理学的に許容し得る塩を含む、化合物の混合物。
【請求項２】
Ｈｅｒ２インヒビターが、トラスツズマブまたはラパチニブである、請求項１に記載の化合物の混合物。
【請求項３】
請求項１または２に記載の化合物の混合物および、任意に、賦形剤および／またはアジュバントを含む、医薬組成物。
【請求項４】
（ａ）４−［（Ｓ）−２−アゼチジン−１−イル−１−（４−クロロ−３−トリフルオロメチル−フェニル）−エチルアミノ］−キナゾリン−８−カルボン酸アミドまたはその生理学的に許容し得る塩の有効量および
（ｂ）Ｈｅｒ２インヒビターまたはその生理学的に許容し得る塩の有効量
の別個のパックからなるキット。
【請求項５】
４−［（Ｓ）−２−アゼチジン−１−イル−１−（４−クロロ−３−トリフルオロメチル−フェニル）−エチルアミノ］−キナゾリン−８−カルボン酸アミド、またはその生理学的に許容し得る塩、およびＨｅｒ２インヒビター、またはその生理学的に許容し得る塩を含む、がんの予防または処置のための医薬。
【請求項６】
がんが、ヒト乳がんである、請求項５に記載の医薬。
【請求項７】
４−［（Ｓ）−２−アゼチジン−１−イル−１−（４−クロロ−３−トリフルオロメチル−フェニル）−エチルアミノ］−キナゾリン−８−カルボン酸アミドおよびＨｅｒ２インヒビターが同時に対象へ投与される、請求項５または６に記載の医薬。
【請求項８】
４−［（Ｓ）−２−アゼチジン−１−イル−１−（４−クロロ−３−トリフルオロメチル−フェニル）−エチルアミノ］−キナゾリン−８−カルボン酸アミドおよびＨｅｒ２インヒビターが経時的に対象へ投与される、請求項５または６に記載の医薬。
【請求項９】
Ｈｅｒ２インヒビターが最初に投与される、請求項８に記載の医薬。
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
インスリン受容体障害（ＩＮＳＲ障害）を処置するための医薬組成物であって、治療有効量の（ａ）単離ヒトＦＧＦ２１ポリペプチド；または（ｂ）ＦＧＦ２１タンパク質変異体を含む医薬組成物。
【請求項２】
前記ＩＮＳＲ障害が、１型糖尿病である、請求項１に記載の医薬組成物。
【請求項３】
前記ＩＮＳＲ障害が、脂質異常症である、請求項１に記載の医薬組成物。
【請求項４】
前記ＩＮＳＲ障害が、高血糖症である、請求項１に記載の医薬組成物。
【請求項５】
前記ＩＮＳＲ障害が、低血糖症である、請求項１に記載の医薬組成物。
【請求項６】
前記ＩＮＳＲ障害が、耐糖能異常である、請求項１に記載の医薬組成物。
【請求項７】
前記ＩＮＳＲ障害が、ＨＩＶ／ＨＡＡＲＴ誘導性部分型リポジストロフィーである、請求項１に記載の医薬組成物。
【請求項８】
前記ＩＮＳＲ障害が、メタボリック症候群である、請求項１に記載の医薬組成物。
【請求項９】
前記ＩＮＳＲ障害が、非アルコール性脂肪肝疾患（ＮＡＦＬＤ）である、請求項１に記載の医薬組成物。
【請求項１０】
前記ＦＧＦ２１タンパク質変異体が、変異体７６である、請求項１に記載の医薬組成物。
【請求項１１】
前記ＦＧＦ２１タンパク質変異体が、Ｆｃ融合タンパク質である、請求項１に記載の医薬組成物。
【請求項１２】
前記Ｆｃ融合タンパク質が、表１から選択される、請求項１１に記載の医薬組成物。
【請求項１３】
前記Ｆｃ融合タンパク質が、変異体１０１である、請求項１１に記載の医薬組成物。
【請求項１４】
インスリン受容体障害（ＩＮＳＲ障害）を処置するための医薬組成物であって、治療有効量のＦＧＦ２１タンパク質変異体及び薬学的または生理学的に許容される製剤を含む医薬組成物。
【請求項１５】
インスリン受容体障害（ＩＮＳＲ障害）を処置するための医薬組成物であって、１または複数のＰＥＧサブユニットで共有結合的に修飾された治療有効量のＦＧＦ２１タンパク質変異体を含む医薬組成物。
【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
高心血管リスク患者の心血管リスクを低減させる方法において使用するための、プロタンパク質転換酵素サブチリシン／ケキシン９型（ＰＣＳＫ９）に特異的に結合する抗体またはその抗原結合断片を含む医薬組成物であって、該患者は、最大耐用量スタチン治療での定常状態処置にもかかわらずアテローム生成リポタンパク質の不十分な制御を示し、該抗体またはその抗原結合断片は、７５ｍｇの用量で、２週間に１回の頻度で患者に投与され、該７５ｍｇ用量は、２用量の後に測定される患者の低密度リポタンパク質コレステロール（ＬＤＬ−Ｃ）が閾値より低い場合、維持され、そして該７５ｍｇ用量は、２用量の後に測定される患者のＬＤＬ−Ｃが閾値と等しいかまたはそれ以上である場合、中止され、その後、該抗体またはその抗原結合断片が１５０ｍｇの用量で２週間に１回の頻度で患者に投与される、前記医薬組成物。
【請求項２】
閾値は、５０ｍｇ／ｄＬである、請求項１に記載の医薬組成物。
【請求項３】
心血管リスクを低減させることは、冠動脈心疾患死、急性心筋梗塞、不安定狭心症による入院、または虚血性脳卒中の初回発生までの時間を短縮することを意味する、請求項１または２に記載の医薬組成物。
【請求項４】
抗体またはその抗原結合断片は、急性冠症候群（ＡＣＳ）事象後に患者に投与される、請求項１〜３のいずれか１項に記載の医薬組成物。
【請求項５】
抗体またはその抗原結合断片は、ＡＣＳ事象後１２カ月以内に患者に投与される、請求項４に記載の医薬組成物。
【請求項６】
ＡＣＳ事象は：
１）推定されるまたは立証された閉塞性冠疾患に起因する、予定外の入院から７２時間
以内の安静時または最小労作時に起こる不安定な心筋虚血症状；および
２）次のうちの少なくとも１つ：
ａ）急性心筋梗塞と一致する心臓バイオマーカー上昇、または
ｂ）虚血もしくは梗塞と一致する安静時ＥＣＧ変化と共に局所灌流画像法からの閉塞性冠疾患のさらなる証拠もしくは壁運動異常、血管造影法による心外膜冠動脈狭窄≧７０％、もしくは該事象に関係する冠動脈血行再建の必要性
によって定義される、請求項４または５に記載の医薬組成物。
【請求項７】
患者は、ヘテロ接合性家族性高コレステロール血症（ＨｅＦＨ）、または既存の冠動脈心疾患（ＣＨＤ）またはＣＨＤリスク相当状態である、請求項１〜３のいずれか１項に記載の医薬組成物。
【請求項８】
患者は、記録されたＣＨＤ歴を有し、該記録されたＣＨＤ歴は：
ｉ）急性心筋梗塞（ＭＩ）；
ｉｉ）無症候性心筋梗塞；
ｉｉｉ）不安定狭心症；
ｉｖ）冠動脈血行再建術；および
ｖ）臨床的に有意なＣＨＤ
からなる群から選択される、請求項７に記載の医薬組成物。
【請求項９】
患者は、ＣＨＤリスク相当状態を有し、該ＣＨＤリスク相当状態は：
ａ）末梢動脈疾患；
ｂ）アテローム血栓症に起因する、２４時間より長く持続した局所虚血性神経障害を伴う過去の虚血性脳卒中；
ｃ）中等度慢性腎疾患（ＣＫＤ）；および
ｄ）糖尿病および２つまたはそれ以上の追加のリスク因子の既往歴
からなる群から選択される、請求項７に医薬組成物。
【請求項１０】
抗体またはその抗原結合断片は、配列番号１／６および１１／１５からなる群から選択される重鎖可変領域／軽鎖可変領域（ＨＣＶＲ／ＬＣＶＲ）アミノ酸配列対の重鎖および軽鎖相補性決定領域（ＣＤＲ）を含む、請求項１〜９のいずれか１項に記載の医薬組成物。
【請求項１１】
抗体またはその抗原結合断片は、配列番号１２、１３、１４、１６、１７および１８；または配列番号２、３、４、７、８および１０、を有する重鎖および軽鎖ＣＤＲアミノ酸配列を含む、請求項１０に記載の医薬組成物。
【請求項１２】
抗体またはその抗原結合断片は、（ａ）配列番号１１のアミノ酸配列を有するＨＣＶＲおよび配列番号１５のアミノ酸配列を有するＬＣＶＲ；または（ｂ）配列番号１のアミノ酸配列を有するＨＣＶＲおよび配列番号６のアミノ酸配列を有するＬＣＶＲ、を含む、請求項１１に記載の医薬組成物。
【請求項１３】
抗体またはその抗原結合断片は、配列番号１２、１３、１４、１６、１７および１８；または配列番号２、３、４、７、８および１０を有する重鎖および軽鎖ＣＤＲアミノ酸配列を含む抗体と同じ、ＰＣＳＫ９上のエピトープと結合する、請求項１〜９のいずれか１項に記載の医薬組成物。
【請求項１４】
抗体またはその抗原結合断片は、配列番号１２、１３、１４、１６、１７および１８；または配列番号２、３、４、７、８および１０を有する重鎖および軽鎖ＣＤＲアミノ酸配列を含む抗体とＰＣＳＫ９との結合について競合する、請求項１〜９のいずれか１項に記
載の医薬組成物。
【請求項１５】
１５０ｍｇ用量は、いずれか２回の連続する測定について患者のＬＤＬ−Ｃが＜２５ｍｇ／ｄＬである場合、中止され、その後、ＰＣＳＫ９に特異的に結合する抗体またはその抗原結合断片が、７５ｍｇの用量で２週間に１回の頻度で患者に投与される、請求項１〜１４のいずれか１項に記載の医薬組成物。
【請求項１６】
ＰＣＳＫ９阻害剤は、最大耐用量スタチン治療と併用して患者に投与される、請求項１〜１５のいずれか１項に記載の医薬組成物。
【請求項１７】
最大耐用量スタチン治療は、アトルバスタチン４０ｍｇ〜８０ｍｇの１日用量を含む、請求項１〜１６のいずれか１項に記載の医薬組成物。
【請求項１８】
最大耐用量スタチン治療は、ロスバスタチン２０ｍｇ〜４０ｍｇの１日用量を含む、請求項１〜１６のいずれか１項に記載の医薬組成物。
【請求項１９】
患者は、抗体または抗原結合断片の投与前または投与時に：
１）≧７０ｍｇ／ｄＬの血清低密度リポタンパク質コレステロール（ＬＤＬ−Ｃ）レベル；
２）非高密度リポタンパク質コレステロール≧１００ｍｇ／ｄＬ；または
３）アポリポタンパク質Ｂ≧８０ｍｇ／ｄＬ
と定義されるアテローム生成リポタンパク質の不十分な制御を示す、請求項１〜１８のいずれか１項に記載の医薬組成物。
【請求項２０】
定常状態処置は、少なくとも２週間の処置である、請求項１〜１９のいずれか１項に記載の医薬組成物。
【請求項２１】
抗体または抗原結合断片は、皮下注射により投与される、請求項１〜２０のいずれか１項に記載の医薬組成物。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
規定された波長の電磁放射線に曝露されるとカルボジイミドに変換される光活性カルボジイミド前駆体、カップリング分子、および溶媒を含む、カルボン酸活性化製剤。
【請求項２】
カップリング分子がアミノ酸である、請求項1に記載の製剤。
【請求項３】
アミノ酸が、アミン基に取り付けられた保護基を含む、請求項2に記載の製剤。
【請求項４】
保護基がカルボジイミドに曝露されるとアミン基から外れる、請求項3に記載の製剤。
【請求項５】
カルボジイミド前駆体がチオンである、請求項1に記載の製剤。
【請求項６】
チオンが、1-(3-(ジエチルアミノ)-プロピル)-4-(2-メトキシフェニル)-1,4-ジヒドロ-5H-テトラゾール-5-チオンである、請求項5に記載の製剤。
【請求項７】
カップリング分子を支持体に取り付ける方法であって、以下の工程を含む、方法：
カップリング分子に連結するための複数のアミン基を含む支持体を得る工程；
該支持体を、請求項1〜6のいずれか一項に記載のカルボン酸活性化製剤と接触させる工程；
カルボン酸活性化製剤を選択的に電磁放射線に曝露する工程であって、それにより、選択的に曝露された部分において該カップリング分子のカルボン酸基を活性化する、工程；
該選択的に曝露された部分において、該カップリング分子の活性化されたカルボン酸基を、該複数のアミン基の少なくとも1つとカップリングする工程；および
任意で、少なくとも1つのカルボン酸基において所望のポリマーを生成するために、該方法を繰り返す工程。
【請求項８】
支持体上の異なる選択的に曝露された部分において、カップリングする工程が複数回行われる、請求項7に記載の方法。
【請求項９】
カップリングする工程が、少なくとも98.5％のカップリング効率を有する、請求項7に記載の方法。
【請求項１０】
カップリングする工程が、少なくとも90％、91％、92％、93％、94％、95％、96％、97％、98％、または99％のカップリング効率を有する、請求項7に記載の方法。
【請求項１１】
カップリング分子がアミノ酸である、請求項7に記載の方法。
【請求項１２】
アミノ酸が、アミン基に取り付けられた保護基を有する、請求項11に記載の方法。
【請求項１３】
保護基がFmocである、請求項12に記載の方法。
【手続補正書】
【提出日】平成29年12月12日(2017.12.12)
【手続補正１】
【補正対象書類名】特許請求の範囲
【補正対象項目名】全文
【補正方法】変更
【補正の内容】
【特許請求の範囲】
【請求項１】
ヒプロメロース(ヒドロキシプロピルメチルセルロース)、ヒドロキシプロピルセルロース、カルボキシメチルセルロースナトリウム、ポリビニルアルコール(PVA)、PVAをベースとするコポリマー及びそれらの混合物からなる群から選択されるポリマー、及び10%以下のグリセリンのトリエステルを含有する中鎖グリセリドからなる群から選択される粘着性除去剤を含む、粉体の形態である即時放出フィルムコーティング組成物。
【請求項２】
ポリマーが、PVAである、請求項1に記載のフィルムコーティング組成物。
【請求項３】
中鎖グリセリドが、グリセリンのカプリル酸(8炭素鎖)及びカプリン酸(10炭素鎖)のモノエステル及びジエステルの混合物を含む、請求項1に記載のフィルムコーティング組成物。
【請求項４】
中鎖グリセリドが、グリセロールモノカプリロカプラート又はグリセロールモノカプリロカプラートタイプIを含む、請求項3に記載のフィルムコーティング組成物。
【請求項５】
滑剤、顔料、界面活性剤、及びそれらの混合物からなる群からの構成要素をさらに含む、請求項1に記載のフィルムコーティング組成物。
【請求項６】
界面活性剤が、ラウリル硫酸ナトリウムであり、滑剤が、タルク又はカオリンである、請求項5に記載のフィルムコーティング組成物。
【請求項７】
ポリマーが、粉体フィルムコーティング組成物の20〜70重量%を構成する、請求項1に記載のフィルムコーティング組成物。
【請求項８】
a)ポリマーが、PVAであり、b)中鎖グリセリドが、グリセロールモノカプリロカプラートを含み、c)滑剤が、タルクであり、且つd)界面活性剤が、ラウリル硫酸ナトリウムである、請求項5に記載のフィルムコーティング組成物。
【請求項９】
中鎖グリセリドが、粉体フィルムコーティング組成物の1〜30重量%、又は2〜15重量%、又は3〜7重量%を構成する、請求項1に記載のフィルムコーティング組成物。
【請求項１０】
【表１】
2017509691.tif 000001
を含む、請求項5に記載のフィルムコーティング組成物。
【請求項１１】
【表２】
2017509691.tif 000002
を含む、請求項10に記載のフィルムコーティング組成物。
【請求項１２】
【表３】
2017509691.tif 000003
を含む、請求項11に記載のフィルムコーティング組成物。
【請求項１３】
請求項1に記載のフィルムコーティング組成物及び水を含む、水性懸濁液。
【請求項１４】
請求項13に記載の水性懸濁液でコーティングされている、経口摂取可能な基材。
【請求項１５】
0.25〜5.0%の理論的重量増加が得られるまで、基材が、フィルムコーティング組成物を含む水性懸濁液でコーティングされており、フィルムコーティング組成物が、1〜8のpHを有する媒体中に、2時間未満で崩壊又は溶解する、請求項14に記載の経口摂取可能な基材。
【請求項１６】
請求項1に記載のフィルムコーティング組成物及び他の任意の添加物を、周囲温度で、水中に分散させるステップを含む、水性フィルムコーティング分散液を製造する方法。
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
−一重らせんＶ構造を有し、少なくとも０．２５の置換度を有する官能化デンプン、および
−前記官能化デンプンと包接錯体を形成する、難水溶性又は水不溶性の生物活性剤、ここで、前記生物活性剤は一重らせんＶ構造を有する前記官能化デンプンの前記らせんＶ構造内にある、
を含む、粉末組成物。
【請求項２】
前記置換度が約０．２５〜約１．５、または約０．４〜約０．７である、請求項１に記載の粉末組成物。
【請求項３】
前記一重らせんＶ構造を有する官能化デンプンが、カルボキシル化デンプン、ヒドロキシプロピル化デンプン、アセチル化デンプン、ヒドロキシプロピルメチル化デンプン、アミン化デンプン、アルキル化デンプン、アシル化デンプン、酸変性デンプン、オクテニル化デンプン、プレゼラチン化デンプン、またはこれらの組み合わせである、請求項１または２に記載の粉末組成物。
【請求項４】
前記カルボキシル化デンプンが、カルボキシメチルデンプン、カルボキシエチルデンプン、スクシニルデンプン、オクテニルスクシニルデンプン、アクリロイルデンプン、アセチルデンプンまたはこれらの組み合わせである、請求項３に記載の粉末組成物。
【請求項５】
前記一重らせんＶ構造を有する官能化デンプンが、天然もしくは非天然デンプン、またはこれらの組み合わせから調製される、請求項１に記載の粉末組成物。
【請求項６】
前記天然デンプンが、トウモロコシデンプン、ジャガイモデンプン、エンドウマメデンプン、コメデンプン、マメデンプン、コムギデンプン、またはこれらの組み合わせである、請求項５に記載の粉末組成物。
【請求項７】
前記非天然デンプンが、カルボキシメチルデンプン、ヒドロキシプロピルデンプン、アセチルデンプン、ヒドロキシプロピルメチルデンプン、アミンデンプン、アルキルデンプン、アシルデンプン、酸変性デンプン、オクテニルスクシニルデンプン、プレゼラチン化デンプン、架橋デンプン、またはこれらの組み合わせである、請求項５に記載の粉末組成物。
【請求項８】
前記非天然デンプンが、カルボキシメチルデンプン、カルボキシエチルカルボキシメチルデンプン、カルボキシメチルヒドロキシプロピルデンプン、カルボキシメチルヒドロキシプロピルメチルデンプン、カルボキシメチルアセチルデンプン、カルボキシメチルオクテニルスクシニルデンプン、カルボキシメチルアクリロイルデンプン、カルボキシメチルアシルデンプン、カルボキシメチルアルキルデンプン、カルボキシメチル架橋デンプン、またはこれらの組み合わせである、請求項５に記載の粉末組成物。
【請求項９】
前記一重らせんＶ構造を有する官能化デンプンが、部分加水分解デンプンから調製される、請求項１〜８のいずれか１項に記載の粉末組成物。
【請求項１０】
前記非天然デンプンが、部分加水分解非天然デンプンである、請求項７または８に記載の粉末組成物。
【請求項１１】
前記生物活性剤が、単純脂肪酸、脂質化合物、複合脂質、抗生物質、タンパク質、ペプチド、医薬的に活性な成分、またはこれらの組み合わせである、請求項１〜１０のいずれか１項に記載の粉末組成物。
【請求項１２】
前記単純脂肪酸が、α−リノレン酸、エイコサペンタエン酸、ドコサヘキサエン酸、またはこれらの組み合わせである、請求項１１に記載の粉末組成物。
【請求項１３】
前記複合脂質が、グリセリド、カロテノイド、テルペノイド、イソプレノイド、ウィタノライド、コレステロール、フィトステロール、脂溶性ビタミン、スチルベノイド、またはこれらの組み合わせである、請求項１１に記載の粉末組成物。
【請求項１４】
前記グリセリドが、オメガ３モノグリセリド、オメガ３ジグリセリド、オメガ３トリグリセリド、またはこれらの組み合わせである、請求項１３に記載の粉末組成物。
【請求項１５】
前記一重らせんＶ構造を有する官能化デンプンおよび前記生物活性剤の比が、それぞれ約１２：１〜１：２である、請求項１〜１４のいずれか１項に記載の粉末組成物。
【請求項１６】
前記粉末組成物が、水性媒体に可溶性である、請求項１〜１５のいずれか１項に記載の粉末組成物。
【請求項１７】
前記粉末組成物が、水性媒体に分散性である、請求項１〜１５のいずれか１項に記載の粉末組成物。
【請求項１８】
請求項１〜１５のいずれか１項に記載の粉末組成物、および
医薬的に許容可能な担体
を含む医薬組成物。
【請求項１９】
前記生物活性剤が、アルテミシニンまたはその誘導体である、請求項１８に記載の医薬組成物。
【請求項２０】
前記生物活性剤がアルテミシニンである、請求項１に記載の粉末組成物の使用、および
それを必要とする対象におけるマラリアの治療のための請求項１９に記載の医薬組成物。
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
ｍｉＲ−７０８をコードする核酸を含む、又はｍｉＲ−７０８及びロドプシンをコードする核酸を含む、ｒＡＡＶ粒子。
【請求項２】
ｍｉＲ−７０８をコードする核酸及び／又はロドプシンをコードする核酸が、プロモーターに作動可能に連結される、請求項１に記載のｒＡＡＶ粒子。
【請求項３】
プロモーターは、光受容器細胞においてｍｉＲ−７０８及び／又はロドプシンを発現する、請求項２に記載のｒＡＡＶ粒子。
【請求項４】
プロモーターが、ＲＫプロモーター、オプシンプロモーター、又はＣＢＡプロモーターを含む、請求項２又は３に記載のｒＡＡＶ粒子。
【請求項５】
ｉ）  ｍｉＲ−７０８をコードする核酸及びロドプシンをコードする核酸が、１つのＲＫプロモーターもしくはオプシンプロモーターに作動可能に連結されているか；又はｉｉ）  ｍｉＲ−７０８をコードする核酸が、第一のＲＫプロモーターもしくは第一のオプシンプロモーターに作動可能に連結されており、かつロドプシンをコードする核酸が第二のＲＫプロモーターまたは第二のオプシンプロモーターに作動可能に連結されている、請求項４に記載のｒＡＡＶ粒子。
【請求項６】
ｍｉＲ−７０８をコードする核酸がロドプシンをコードする核酸に対して５’であるか、又はｍｉＲ−７０８をコードする核酸がロドプシンをコードする核酸に対して３’である、請求項５に記載のｒＡＡＶ粒子。
【請求項７】
ｍｉＲ−７０８をコードする核酸がイントロンに組み込まれている、請求項１〜６のいずれか１項に記載のｒＡＡＶ粒子。
【請求項８】
ｍｉＲ−７０８をコードする核酸が、内在性ｍｉＲ−７０８足場又はｍｉＲ−１５５足場を含む、請求項１〜７のいずれか１項に記載のｒＡＡＶ粒子。
【請求項９】
ロドプシンをコードする核酸が、ｍｉＲ−７０８標的配列における核酸の置換、挿入もしくは欠失を含むか、又は３’ＵＴＲ  ｍｉＲ−７０８標的配列を欠いており、前記置換、挿入もしくは欠失が、ｍｉＲ−７０８による認識を減少させるか又は妨げる、請求項１〜８のいずれか１項に記載の方法。
【請求項１０】
ｍｉＲ−７０８をコードする核酸が、配列番号１の核酸を含む、又はｍｉＲ−７０８をコードする核酸が、配列番号１に対して少なくとも８５％の同一性を有する核酸を含み；かつ、ロドプシンが配列番号２のアミノ酸配列を含む、又はロドプシンをコードする核酸が、配列番号３に対して少なくとも８５％の同一性を有する核酸を含む、請求項１〜９のいずれか１項に記載のｒＡＡＶ粒子。
【請求項１１】
ｒＡＡＶウイルス粒子が、配列番号５、配列番号６、配列番号７、配列番号２４、配列番号２５、配列番号２６、もしくは配列番号２７のポリヌクレオチドを含む組み換えウイルスゲノムを含む；又は、ｒＡＡＶウイルス粒子が、配列番号５、配列番号６、配列番号７、配列番号２４、配列番号２５、配列番号２６、もしくは配列番号２７に対して少なくとも８５％の同一性を有するポリヌクレオチドを含む組み換えウイルスゲノムを含む、請求項９又は１０に記載のｒＡＡＶ粒子。
【請求項１２】
ｒＡＡＶウイルス粒子が、ＡＡＶ１、ＡＡＶ２、ＡＡＶ３、ＡＡＶ４、ＡＡＶ５、ＡＡＶ５チロシン変異体、ＡＡＶ６、ＡＡＶ７、ＡＡＶ８、ＡＡＶｒｈ８、ＡＡＶｒｈ８Ｒ、ＡＡＶ９、ＡＡＶ１０、ＡＡＶｒｈ１０、ＡＡＶ１１、ＡＡＶ１２、ＡＡＶ２Ｒ４７１Ａ、ＡＡＶ２／２−７ｍ８、ＡＡＶ  ＤＪ、ＡＡＶ２  Ｎ５８７Ａ、ＡＡＶ２  Ｅ５４８Ａ、ＡＡＶ２  Ｎ７０８Ａ、ＡＡＶ  Ｖ７０８Ｋ、ヤギＡＡＶ、ＡＡＶ１／ＡＡＶ２キメラ、ウシＡＡＶ、又はマウスＡＡＶカプシド、ｒＡＡＶ２／ＨＢｏＶ１血清型カプシドを含み；かつ、ｒＡＡＶベクターが、ＡＡＶ１、ＡＡＶ２、ＡＡＶ３、ＡＡＶ４、ＡＡＶ５、ＡＡＶ６、ＡＡＶ７、ＡＡＶ８、ＡＡＶｒｈ８、ＡＡＶｒｈ８Ｒ、ＡＡＶ９、ＡＡＶ１０、ＡＡＶｒｈ１０、ＡＡＶ１１、ＡＡＶ１２、ＡＡＶ２Ｒ４７１Ａ、ＡＡＶ  ＤＪ、ヤギＡＡＶ、ウシＡＡＶ、又はマウスＡＡＶ血清型逆位末端反復（ＩＴＲ）を含む、請求項１〜１１のいずれか１項に記載のｒＡＡＶ粒子。
【請求項１３】
ｒＡＡＶウイルス粒子が、ＡＡＶ−５カプシド又はＡＡＶ−５チロシン変異体カプシドを含み、かつベクターがＡＡＶ２  ＩＴＲを含む、請求項１２に記載のｒＡＡＶ粒子。
【請求項１４】
請求項１〜１３のいずれか１項に記載のｒＡＡＶ粒子を含み、場合により、ロドプシンをコードする核酸を含む第二のｒＡＡＶ粒子を含む、医薬組成物。
【請求項１５】
請求項１〜１３のいずれか１項に記載のｒＡＡＶ粒子を含む、哺乳動物において網膜色素変性症を処置するための、医薬組成物。
【請求項１６】
請求項１〜１３のいずれか１項に記載のｒＡＡＶ粒子を含む、哺乳動物の細胞における小胞体（ＥＲ）ストレスを処置するための、医薬組成物。
【請求項１７】
細胞が、眼の細胞又は光受容器細胞、場合により杆体光受容器細胞である、請求項１６に記載の医薬組成物。
【請求項１８】
ｒＡＡＶ粒子が、哺乳動物の網膜下腔の１つより多くの位置に注入するために製剤化される、請求項１５〜１７のいずれか１項に記載の医薬組成物。
【請求項１９】
ｒＡＡＶ粒子が、哺乳動物の硝子体内注射するために製剤化される、請求項１５〜１８のいずれか１項に記載の医薬組成物。
【請求項２０】
網膜色素変性症が、常染色体優性網膜色素変性症又は常染色体劣性網膜色素変性症である、請求項１５又は１７〜１９のいずれか１項に記載の医薬組成物。
【請求項２１】
医薬組成物が、ロドプシンをコードする核酸を含む第二のｒＡＡＶ粒子を含み、かつｍｉＲ−７０８をコードするｒＡＡＶウイルス粒子及びロドプシンをコードする第二のｒＡＡＶウイルス粒子が、哺乳動物に同時に投与されるか、又はｍｉＲ−７０８をコードするｒＡＡＶウイルス粒子及びロドプシンをコードするｒＡＡＶウイルス粒子が哺乳動物に連続して投与される、請求項１５〜２０のいずれか１項に記載の医薬組成物。
【誤訳訂正書】
【提出日】平成30年1月5日(2018.1.5)
【誤訳訂正１】
【訂正対象書類名】明細書
【訂正対象項目名】０００６
【訂正方法】変更
【訂正の内容】
【０００６】
それとは逆に、すべり塗膜は、適用時に粘性の低い状態で、例えば、溶液又は分散液中に存在するか、又は、例えば、溶融化によってそのような貫流性で存在するため、圧力を作用させることなく、滑らかに延びた、連続的な表面が形成される。そのすべり塗膜の施用は、噴霧法又は印刷法によって行われ、その後、熱的に硬化するか、又はＵＶ光下で硬化する。すべり塗料のバインダーは、その後に続く乾燥工程又は硬化工程の間に、化学的又は物理的な架橋か、又は化学的な変換によって、より溶解しにくい形態か又はより溶融しにくい形態に転換され、その結果、すべり層は、形態安定性、かつ、高負荷の薄層を基材上に形成する。この場合、すべりコーティング（塗膜）の場合、テープ状の半製品、つまり、すべり要素の最終的な機械処理加工前のものにしか可能ではないため、そのような自己形成の、つまり、圧力を作用させずに形成される滑らかな表面によって、ペースト状で施用するコーティングが不可能な、既に変形したすべり要素上、例えば、ベアリングシャフト上の均一な厚さのすべり塗膜が可能となり、経済上有意に行うことができる。
【誤訳訂正２】
【訂正対象書類名】明細書
【訂正対象項目名】０００７
【訂正方法】変更
【訂正の内容】
【０００７】
典型的な機能性のフィラーは、ＭｏＳ２、ＷＳ２、ＢＮ、ＰＴＦＥ、セラミック粉末、例えば、酸化物、窒化物、炭化物、シリケート、金属、例えば、Ａｌ、Ｃｕ、Ａｇ、Ｗ、Ｎｉ、Ａｕ及びＦｅ２Ｏ３のような固体潤滑剤である（国際公開第２０１０／０７６３０６号パンフレット（特許文献４）又は米国特許第６  ３０５  ８４７  Ｂ１号明細書（特許文献５）を参照されたい）。
【誤訳訂正３】
【訂正対象書類名】明細書
【訂正対象項目名】００２８
【訂正方法】変更
【訂正の内容】
【００２８】
有利には、さらに、その他のフィラーは、すべり塗膜に基づいて１０体積％以下の全割合を有する少なくとも一種の硬質材料を含有する。一種又は二種以上の該硬質材料は、ラジアル軸受けの場合、例えば、シャフトなどの対抗面との接触時に摩耗低減材として利用されることで、それ自体を調整する。特に、シャフト表面の初期なじみ相における不均質性及び／又は大きすぎる粗度は、該シャフトの表面が、軸受けの担持するすべり層に適合するまで、遅滞なく除かれる。その際、該硬質材料は、１０％の体積割合を超えるべきではない。さもなければ、材料により、カウンターローターの走行面に対する研磨が強すぎて、軸受けのすべり特性が全体として悪化するからである。
【誤訳訂正４】
【訂正対象書類名】明細書
【訂正対象項目名】００４０
【訂正方法】変更
【訂正の内容】
【００４０】
有利な実施形態において、メタル層の表面上には、そのメタル層の上に施用された、固体潤滑剤及び／又は金属粉末を有する下のすべり塗膜、及びその下のすべり塗膜の上に施用された、硬質材料を有する上のすべり塗膜が施用されたすべり塗膜層複合材が配置される。最初にカウンターローターと接触することになる、上のすべり塗膜は、初期なじみ層として機能するように設計され、これは、硬質粒子を投入することによってカウンターローター（シャフト）を調整するのに利用される。その下にあるすべり塗膜は、耐久性層として設計され、そして、上述した金属粉末及び固体潤滑剤の高い割合の範囲内で、かつ、本質的に、硬質材料を有さないか、又はほとんど有さず、そして、それにより、本質的に摩耗耐性である。
【誤訳訂正５】
【訂正対象書類名】明細書
【訂正対象項目名】００４９
【訂正方法】変更
【訂正の内容】
【００４９】
メタル層は、比較的厚い支持層としても、薄いカバー層としても形成することができ、その際、すべり塗膜は、組成に応じて、カウンターローターに適合させるか、又はそれを調整するための追加的な初期なじみ層として、又は高い耐用期間を有する独自のすべり層として形成することができる。
【誤訳訂正６】
【訂正対象書類名】明細書
【訂正対象項目名】００５２
【訂正方法】変更
【訂正の内容】
【００５２】
就中、特に好ましくは、該カバー層が、そのようなすべり軸受け−層複合材料中に、高負荷可能なＡｌＳｎスパッター層として形成され、その際、該すべり塗膜又はすべり塗膜層複合材は、特に、初期なじみ層として機能的に設計される、つまり、上述の種類の少なくとも一種の硬質材料を含む及び／又は本発明の範囲を下回るバインダー含有量を有する。
【誤訳訂正７】
【訂正対象書類名】特許請求の範囲
【訂正対象項目名】請求項５
【訂正方法】変更
【訂正の内容】
【請求項５】
前記硫化亜鉛の部分及び硫酸バリウムの部分が、リトポンの形態で存在していることを特徴とする、請求項１〜４のいずれか一つに記載のすべり塗膜（１１、１２、１３、４１、４２、４３）。
【誤訳訂正８】
【訂正対象書類名】特許請求の範囲
【訂正対象項目名】請求項２０
【訂正方法】変更
【訂正の内容】
【請求項２０】
前記少なくとも一つのメタル層（５１、５２、５３）が、選択的に鋼支持層（５１）及び、該鋼支持層（５１）の上に施用された、Ｎｉ、Ａｇ、Ｃｕ又はＦｅからなる中間層（５２）を有し、その際、前記軸受けメタル層（５３）が、存在する場合には該鋼支持層（５１）の上、又は該中間層（５２）の上に施用され、そしてその際、前記すべり塗膜（４１、４２、４３）又はすべり塗膜層複合材（４０）が、前記鋼支持層（５１）に対向する面上の、軸受けメタル層（５３）の表面上に施用されることを特徴とする、請求項１８又は１９に記載のすべり軸受け層複合材料。
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
瀝青質バインダー材料と鉱物骨材及び弾性粒子を含む固体粒子とを含み、前記弾性粒子が最大で2.8ｍｍの最大粒径を有するアスファルト組成物であって、鉱物骨材及び弾性粒子を含む前記固体粒子がギャップ等級を有し、前記ギャップは下限及び上限によって定義され、前記下限と上限との間のサイズの固体粒子は実質的に存在せず、ギャップの上限は弾性粒子の最大粒径よりも大きく、さらに、前記鉱物骨材がギャップの上限より大きな粒径を有する粒子を含み、前記弾性粒子が、ギャップより大きなサイズを有する粗い骨材粒子間に、これら同士の直接接触を防ぐために存在する、アスファルト組成物。
【請求項２】
前記下限と上限との間のサイズの固体粒子の割合が、前記骨材と弾性粒子との合計体積に基づいて、最大で10体積％、好ましくは5体積％、より好ましくは0.5体積％未満である、請求項１に記載のアスファルト組成物。
【請求項３】
前記ギャップの上限及び前記弾性粒子の最大粒径が、これらの差異が少なくとも1mm、好ましくは1から5mm、より好ましくは2から4mmとなるように選択される、請求項１または２に記載のアスファルト組成物。
【請求項４】
前記ギャップの下限が、前記弾性粒子の最大サイズに少なくとも等しい、請求項３に記載のアスファルト組成物。
【請求項５】
前記弾性粒子が、63μmから2.8mm、好ましくは63μmから2mmの粒径を有する、請求項１から４のいずれか一項に記載のアスファルト組成物。
【請求項６】
前記弾性粒子は、好ましくは天然ゴム、スチレン-ブタジエンコポリマー、ポリクロロプレン、ニトリルゴム、ブチルゴム、ポリスルフィドゴム、ポリイソプレン、EPDMゴム、シリコーンゴム、ポリウレタンゴム、ポリオレフィンゴム、及びこれらの混合物からなる群より選択されるエラストマー材料を含む弾性ポリマー粒子であり、より好ましくは前記エラストマー材料が加硫した天然ゴムを含み、最も好ましくはクランプゴム（crump rubber）を含む、請求項１から５のいずれか一項に記載のアスファルト組成物。
【請求項７】
前記瀝青質バインダー材料が、EN 1426によって測定される、40から220dmmの針入度を有する瀝青を含む、請求項１から６のいずれか一項に記載のアスファルト組成物。
【請求項８】
前記瀝青質バインダー材料が、瀝青を含み、さらに前記バインダー材料中で均質化されたポリマーを含む、請求項１から７のいずれか一項に記載のアスファルト組成物。
【請求項９】
鉱物骨材及び弾性粒子を含む固体粒子を含み、その70から95体積％の範囲の第一グループが2.8mm以上の粒径を有する鉱物骨材であり、その2.5から15体積％の第二グループが63μmから2mmの粒径を有する固体粒子であり、更に2.5から10体積％の第三グループが63μm未満の粒径を有する固体粒子であり、これらパーセンテージは鉱物骨材と弾性粒子との体積に基づく、請求項１から８のいずれか一項に記載のアスファルト組成物。
【請求項１０】
前記鉱物骨材が、砂、砂利、砕石、スラグ、及び破砕コンクリートから選択される鉱物材料を含む、請求項１から９のいずれか一項に記載のアスファルト組成物。
【請求項１１】
前記鉱物骨材が、再生アスファルト骨材を含む、請求項１から１０のいずれか一項に記載のアスファルト組成物。
【請求項１２】
前記瀝青質バインダー材料、骨材、及び弾性粒子の体積に基づいて、前記弾性粒子の量が3から20体積％の範囲内であり、前記骨材の量が90から60体積％の範囲内であり、前記瀝青質バインダー材料の量が9から17.5体積％の範囲内である、請求項１から１１のいずれか一項に記載のアスファルト組成物。
【請求項１３】
瀝青質バインダー材料と鉱物骨材及び弾性粒子を含む固体粒子とを含むアスファルト組成物の調製方法であって、
瀝青質バインダー材料が高温に加熱され；
加熱された高温の瀝青質バインダー材料が膨化チャンバーに送られ；
水が膨化チャンバーに送られて加熱された瀝青質バインダー材料と接触して蒸気を生成し、これによって発泡瀝青が生成し；さらに、
前記発泡瀝青が前記固体粒子と混合され、ここで前記弾性粒子は最大で2.8ｍｍの最大粒径を有し、この固体粒子はギャップ粒度を有し、前記ギャップは下限及び上限によって定義され、前記下限と上限との間のサイズの固体粒子は実質的に存在せず、ギャップの上限は弾性粒子の最大粒径よりも大きく、さらに、鉱物骨材がギャップの上限より大きな粒径を有する粒子を含んでおり、請求項１から１２のいずれか一項に規定のアスファルト組成物がもたらされる、方法。
【請求項１４】
前記瀝青質バインダー材料が、150から190℃の温度に加熱される、請求項１３に記載の方法。
【請求項１５】
前記骨材が、前記弾性粒子が導入された瀝青質バインダー材料によって結合されている、請求項１から１２のいずれか一項に規定のアスファルト組成物を含む道路表面。
【請求項１６】
瀝青質バインダー材料と鉱物骨材及び弾性粒子を含む固体粒子とを含み、前記弾性粒子が最大で2.8ｍｍの最大粒径を有するアスファルト組成物であって、前記固体粒子がギャップ等級を有し、前記ギャップは下限及び上限によって定義され、前記下限と上限との間のサイズの固体粒子は実質的に存在せず、ギャップの上限は弾性粒子の最大粒径よりも大きく、さらに、前記鉱物骨材がギャップの上限より大きな粒径を有する粒子を含み、前記弾性粒子が、ギャップより大きなサイズを有する粗い骨材粒子間に、これら同士の直接接触を防ぐために存在する、アスファルト組成物。
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
対向ピストンの端面により燃焼室を形成するように形作られた端面（２０６、３０６）を有するクラウン（２０３、３０３）を備えたピストン（２００、３００）と、
アンダークラウン（２０８、３０８）を含む前記クラウンと、
前記アンダークラウンと接続ロッド（２１０）の小端部（２１５）との間で前記ピストンに取り付けられた軸受（２１７）と、
リストピン（２２１）を含む前記軸受と、
前記リストピンを介して前記リストピンと軸受面との間の潤滑界面内に油を通過させるように配置された１つ以上のリストピン油出口通路（２２５）と流体連通する前記リストピンの油溜り（２２２）と、
前記油溜りと流体連通するリストピン油入口通路（２２４）、および
前記軸受の固定部（２１９ａ）および前記軸受の可動部（２２１）のうちの１つにおける少なくとも１つの冷却噴射口（２７０、２７５、２７８）と、
を含み、
前記冷却噴射口が前記油溜りと流体連通し、かつアンダークラウン部分に向けられる、
対向ピストンエンジン用のピストン冷却構成。
【請求項２】
前記リストピンは前記接続ロッドの前記小端部に受容される、請求項１に記載のピストン冷却構成。
【請求項３】
前記軸受の前記固定部は、前記ピストンの運動に応答して前記アンダークラウンに対して回転揺動できるように前記リストピンを支持する軸受部材を含み、かつ
前記冷却噴射口は前記軸受部材における油出口通路を含む、
請求項２に記載のピストン冷却構成。
【請求項４】
前記接続ロッドは前記リストピン油入口通路と流体連通する油路を含み、
前記軸受部材における前記油出口通路は、前記リストピンと前記軸受面との間の前記界面からの加圧油を受け取る、
請求項３に記載のピストン冷却構成。
【請求項５】
前記リストピンおよび前記軸受面は揺動軸受を形成する、請求項４に記載のピストン冷却構成。
【請求項６】
前記リストピンおよび前記軸受面は二軸軸受を形成する、請求項４に記載のピストン冷却構成。
【請求項７】
前記軸受の前記可動部は、前記ピストンの運動に応答して前記アンダークラウンに対して回転揺動する前記リストピンを含み、かつ
前記冷却噴射口は前記リストピンに取り付けられたノズルを含む、
請求項２に記載のピストン冷却構成。
【請求項８】
前記接続ロッドは前記リストピン油入口通路と流体連通する油路を含む、請求項７に記載のピストン冷却構成。
【請求項９】
前記リストピンおよび前記軸受面は、揺動軸受または二軸軸受を形成する、請求項８に記載のピストン冷却構成。
【請求項１０】
長手方向に間隔をおいて配置された排気ポートおよび吸気ポートを持つ少なくとも１つのシリンダと、前記シリンダのボア内に相互に対向して配置された１対のピストンと、１対の接続ロッドとを含み、各ピストンが軸受によってそれぞれの接続ロッドに連結され、かつ少なくとも１つのピストンが請求項１〜９のいずれか一項に記載のピストン冷却構成を含む、対向ピストンエンジン。